(57)【要約】【課題】ドアロック手段を有するディスクドライブのフロントパネル組立体及びこれを具備したディスクドライブを提供する。【解決手段】ディスクを回転させるスピンドルモータと、ディスクにアクセスされるピックアップユニットと、ディスクを搭載してローディング及びアンローディングされるトレーを具備した本体と、本体の前面に前記トレーが出入りするように装着されたフロントパネル組立体とを含むディスクドライブにおいて、フロントパネル組立体は、ディスクを搭載するトレーが出入りする出入り口を具備したフロントパネルと、トレーの出入り動作により出入り口が開閉されるようにフロントパネルに回動自在に設置されたドアと、出入り口がロックされる方向にドアに弾性力を付与する弾性部材と、トレーの出入り動作と連動してドアの回動を選択的に許容または防止するドアロック手段と、を含むディスクドライブ。【選択図】　図３
2004039217.tif 000002
【特許請求の範囲】
【請求項１】
回転するディスクにアクセスして情報を記録するか再生するディスクドライブ本体の前面に装着されるフロントパネル組立体であって、
前記ディスクを搭載するトレーが出入りする出入り口を具備したフロントパネルと、
前記トレーの出入り動作により前記出入り口が開閉されるように前記フロントパネルに回動自在に設置されたドアと、
前記出入り口がロックされる方向に前記ドアに弾性力を付与する弾性部材と、前記トレーの出入り動作と連動して前記ドアの回動を選択的に許容または防止するドアロック手段と、を含むディスクドライブのフロントパネル組立体。
【請求項２】
前記ドアロック手段は、
前記ドアの背面に設けられた係止部と、
前記フロントパネルに弾性変形可能に設置されるものとして、前記トレーがローディング状態にある時に前記係止部と結合されて前記ドアが開くことを防止するロッキング部と、前記トレーがアンローディングされる時に前記トレーの一側に干渉されて前記ロッキング部が前記係止部から解除されるように弾性変形を誘発する干渉部とを具備したロックレバーと、を含むことを特徴とする請求項１に記載のディスクドライブのフロントパネル組立体。
【請求項３】
前記ドアロック手段は前記出入り口の幅方向の両側に各々設けられていることを特徴とする請求項２に記載のディスクドライブのフロントパネル組立体。
【請求項４】
ディスクを回転させるスピンドルモータと、前記ディスクにアクセスされるピックアップユニットと、前記ディスクを搭載してローディング及びアンローディングされるトレーを具備した本体と、前記本体の前面に前記トレーが出入りするように装着されたフロントパネル組立体とを含むディスクドライブにおいて、前記フロントパネル組立体は、
前記ディスクを搭載するトレーが出入りする出入り口を具備したフロントパネルと、
前記トレーの出入り動作により前記出入り口が開閉されるように前記フロントパネルに回動自在に設置されたドアと、
前記出入り口がロックされる方向に前記ドアに弾性力を付与する弾性部材と、前記トレーの出入り動作と連動して前記ドアの回動を選択的に許容または防止するドアロック手段と、を含むことを特徴とするディスクドライブ。
【請求項５】
前記ドアロック手段は、
前記ドアの背面に設けられた係止部と、
前記フロントパネルに弾性変形可能に設置されるものとして、前記トレーがローディング状態にある時に前記係止部と結合されて前記ドアが開くことを防止するロッキング部と、前記トレーがアンローディングされる時に前記トレーの一側に干渉されて前記ロッキング部が前記係止部から解除されるように弾性変形を誘発する干渉部とを具備したロックレバーと、を含むことを特徴とする請求項４に記載のディスクドライブ。
【請求項６】
前記ドアロック手段は前記出入り口の幅方向の両側に各々設けられていることを特徴とする請求項５に記載のディスクドライブ。
【発明の詳細な説明】
【０００１】
【発明の属する技術分野】
本発明はディスクドライブのフロントパネル組立体及びこれを採用したディスクドライブに係り、特にトレーが出入りするドアを選択的にロックしうるドアロック手段を具備したディスクドライブのフロントパネル組立体及びこれを採用したディスクドライブに関する。
【０００２】
【従来の技術】
一般的にディスクドライブはコンパクトディスク（ＣＤ）、デジタルビデオディスク（ＤＶＤ）などディスク形状の媒体に情報を記録するかまたはこれら媒体に記録された情報を再生する装置をいう。
【０００３】
ディスクドライブはディスクを搭載するために本体にローディング及びアンローディングされるトレーを具備しており、本体の前方にはトレーが出入りする出入り口を有するフロントパネル組立体が設置される。
【０００４】
図１は従来のディスクドライブのフロントパネル組立体を示す分解斜視図であり、図２は図１のＡ−Ａ’断面図である。
【０００５】
図１および図２には、ディスクドライブの本体１１０、トレー１２０、フロントパネル１３０、ドア１４０、及びトーションバネ１５０が図示されている。
【０００６】
トレー１２０は図１のＢ、Ｃ方向に摺動するように本体１１０に結合される。
【０００７】
フロントパネル１３０は本体１１０の前方に組立される。フロントパネル１３０にはトレー１２０が出入りするように貫通された出入り口１３１と、ドア１４０が組立される支持部１３２、１３３と、トーションバネ１５０の一側アーム１５１が固定される固定部１３４とが形成されている。
【０００８】
ドア１４０はトレー１２０がローディングされた時に出入り口１３１を塞いで本体１１０の内部を露出させない役割をする。ドア１４０の左右両端部には支持部１３２、１３３に回動自在に結合されるヒンジアーム１４１が形成されている。また、右側ヒンジアーム１４１には規制部１４２が形成されている。
【０００９】
トーションバネ１５０はヒンジアーム１４１に挿入され、一側アーム１５１はフロントパネル１３０の固定部１３４に固定され、他側アーム１５２はドア１４０がロックされる方向（図１のＤ方向）に回転するように規制部１４２に弾性力を付与する。規制部１４２はトレー１２０がローディングされてドア１４０がロックされた時、フロントパネル１３０の背面に接触してドア１４０が図１のＤ方向に過度に回転しないようにする。
【００１０】
このような構成によれば、トレー１２０がローディングされている時にはトーションバネ１５０の弾性力によりドア１４０がロックされている。ところで、ディスクを搭載するためにトレー１２０が図１のＢ方向に摺動すれば、トレー１２０の前面部１２１がドア１４０に接触しながらドア１４０を押して図２のＥ方向に回転させる。そして、トレー１２０は出入り口１３１を通じてアンローディングされる。また、トレー１２０が図１のＣ方向に摺動しながらローディングされれば、トーションバネ１５０の弾性力によりドア１４０が図１のＤ方向に回転しながら再びロックされる。
【００１１】
最近、ディスクドライブは情報貯蔵容量の大容量化と共に、高速の情報伝達のためにディスクの回転速度が高速化する傾向がある。ディスクの回転速度は草創期の１倍速から始まって１６倍速、３２倍速を経て最近の５２倍速に至るまで非常に速く高速化している。１６倍速の場合にディスクは約３６００ＲＰＭ（ｒｅｖｏｌｕｔｉｏｎ　ｐｅｒ　ｍｉｎｕｔｅ）で回転し、５２倍速の場合には約１２，０００ＲＰＭで回転する。この場合、ディスクに少しでもクラックがあればディスクが破裂され、破裂されたディスクの破片は非常に速く四方に飛んで行く。
【００１２】
ところで、図１及び図２に示したドア１４０は単にバネ１５０の力によりロックされているだけで、大きい運動エネルギーを有するディスクの破片を止めるには不十分であるという問題点がある。
【００１３】
【発明が解決しようとする課題】
本発明は前記の問題点を解決するために創出されたものであって、トレーがローディングされた時にドアが開かないようにするドアロック手段が具備されたフロントパネル組立体及びこれを採用したディスクドライブを提供するところにその目的がある。
【００１４】
【課題を解決するための手段】
前述した目的を達成するための本発明のフロントパネル組立体は、回転するディスクにアクセスして情報を記録するか再生するディスクドライブ本体の前面に装着されるフロントパネル組立体であって、前記ディスクを搭載するトレーが出入りする出入り口を具備したフロントパネルと、前記トレーの出入り動作により前記出入り口が開閉されるように前記フロントパネルに回動自在に設置されたドアと、前記出入り口がロックされる方向に前記ドアに弾性力を付与する弾性部材と、前記トレーの出入り動作と連動して前記ドアの回動を選択的に許容または防止するドアロック手段と、を含む。
【００１５】
また、本発明によるディスクドライブは、ディスクを回転させるスピンドルモータと、前記ディスクにアクセスされるピックアップユニットと、前記ディスクを搭載してローディング及びアンローディングされるトレーを具備した本体と、前記本体の前面に前記トレーが出入りするように装着されたフロントパネル組立体とを含むディスクドライブであって、前記フロントパネル組立体は、前記ディスクを搭載するトレーが出入りする出入り口を具備したフロントパネルと、前記トレーの出入り動作により前記出入り口が開閉されるように前記フロントパネルに回動自在に設置されたドアと、前記出入り口がロックされる方向に前記ドアに弾性力を付与する弾性部材と、前記トレーの出入り動作と連動して前記ドアの回動を選択的に許容または防止するドアロック手段と、を含む。
【００１６】
ここで、前記ドアロック手段は、前記ドアの背面に設けられた係止部と、前記フロントパネルに弾性変形可能に設置されるものとして、前記トレーがローディング状態にある時に前記係止部と結合されて前記ドアが開くことを防止するロッキング部と、前記トレーがアンローディングされる時に前記トレーの一側に干渉されて前記ロッキング部が前記係止部から解除されるように弾性変形を誘発する干渉部とを具備したロックレバーと、を含む。
【００１７】
【発明の実施の形態】
以下、添付した図面を参照しながら本発明の望ましい実施例を詳細に説明する。
【００１８】
図３は本発明によるディスクドライブの一実施例を示すものであり、図４はフロントパネル組立体の部分斜視図である。
【００１９】
図３および図４には、ディスクドライブ本体２１０と、本体２１０の前方に設置されるフロントパネル組立体２００とが図示されている。
【００２０】
本体２１０にはスピンドルモータ２１１とピックアップユニット２１５とトレー２２０とが具備されている。スピンドルモータ２１１はディスク２８０を回転させるものであって、スピンドルモータ２１１の回転軸にはディスク２８０が載置されるターンテーブル２１２が結合されている。ピックアップユニット２１５は回転するディスク２８０の半径方向に往復動しながらディスク２８０の記録面に情報を記録するか、記録面に記録された情報を再生する。トレー２２０はディスク２８０を搭載する載置面２２１を具備しており、図面のＦ、Ｇ方向に摺動することによって本体２１０に出入りするように結合されている。スピンドルモータ２１１およびピックアップユニット２１５はトレー２２０に設置されることもある。
【００２１】
フロントパネル組立体２００はフロントパネル２３０、ドア２４０、トーションバネ２５０、及びロックレバー２６０を含む。
【００２２】
フロントパネル２３０には長方形に貫通された出入り口２３１が形成されており、背面２３５にはドア２４０のヒンジ部２４１が結合される１対の第１支持部２３２と第２支持部２３３、トーションバネ２５０の第１アーム２５１が結合される固定部２３４、及びロックレバー２６０が結合される結合ボス２３６が設けられている。
【００２３】
出入り口２３１は摺動するトレー２２０が通過できるように長方形に貫通されて形成される。出入り口２３１の左右側にはドア２４０の横側両端部に設けられたヒンジ部２４１を支持する第１支持部２３２が形成されており、その下方にはフロントパネル２３０の背面２３５側に突出して横方向に延びた第２支持部２３３が形成されている。
【００２４】
ドア２４０は出入り口２３１を塞いで外部からディスクドライブの内側が見えないようにする一方、後述のようにディスク２８０の破損により発生した破片から使用者を保護する役割をするものであって、図３を参照すれば、出入り口２３１を塞ぐカーバ２４４、１対のヒンジ部２４１、規制部２４２、及び係止部２４３を含む。
【００２５】
カーバ２４４の横側両端部には円形軸状のヒンジ部２４１が形成されている。図面の右側に形成されたヒンジ部２４１には下方に延びて形成された規制部２４２が設けられている。規制部２４２はフロントパネル２３０の背面２３５と干渉されてドア２４０がロックされる方向に過度に回転しないようにする。
【００２６】
係止部２４３はカーバ２４４の横側端部に隣接して設けられ、カーバ２４４の背面２４５から延びて横側端部方向に折曲されている。係止部２４３は、図４に示したように、トレー２２０がローディングされた時にロックレバー２６０の突出部２６１と結合される。
【００２７】
トーションバネ２５０はドア２４０がロックされる方向に回転するように弾性力を付与する。トーションバネ２５０のコイル部２５３はヒンジ部２４１に挟まれ、第１アーム２５１は固定部２３４に、第２アーム２５２は規制部２４２に各々結合される。本実施例ではトーションバネ２５０を使用しているが、必ずこれに限定されるのではなく多様な種類および形態の弾性部材を使用できる。トーションバネ２５０は両側ヒンジ部２４１に各々一つずつ結合されることもある。
【００２８】
ロックレバー２６０は、弾性を有する弾性部２６４と、弾性部２６４から各々延びて形成される締結部２６３、突出部２６１、干渉部２６２とを含む。本実施例ではバネ材質の鉄板を折曲して製作したロックレバー２６０を使用しているが、必ず鉄板である必要はなく弾性を有する材質であれば多様な材料を使用できる。
【００２９】
突出部２６１はドア２４０の係止部２４３に結合される部分であって、弾性部２６４から係止部２４３方向に折曲されて形成される。弾性部２６４および突出部２６１はトレー２２０がローディングされた状態でドア２４０が開かないようにするロッキング部を形成する。干渉部２６２は弾性部２６４から傾いて折曲されて摺動するトレー２２０と干渉されるようにトレー２２０の幅よりさらに奥に延びて形成される。干渉部２６２はトレー２２０がドア２４０の背面２４５に到達する前にトレー２２０に到達するようにドア２４０の背面２４５よりトレー２２０側にさらに近く位置するように形成される。また、突出部２６１の形成位置および突出長さは、トレー２２０が干渉部２６２と接触しながらドア２４０の背面２４５に到達した時に弾性部２６４の変形により係止部２４３から解除されるように決定される。
【００３０】
ロックレバー２６０は締結部２６３を結合ボス２３６に載せてねじ２７０で締めることによってフロントパネル２３０に組み付けられる。ロックレバー２６０の組み付け方法にはそれ以外にも多様な方法がありえる。ロックレバー２６０は出入り口２３１の両側に設置することもあるが、この場合には係止部２４３もカーバ２４４の横側両端部側に設けられねばならない。
【００３１】
本実施例によるディスクドライブの組立て過程を説明する。
【００３２】
まず、フロントパネル２３０の第１支持部２３２および第２支持部２３３にヒンジ部２４１を挿入してドア２４０を組立てれば、ヒンジ部２４１を軸としてドア２４０が図３のＪ、Ｋ方向に回転されうる。次に、トーションバネ２５０のコイル部２５３をヒンジ部２４１に挿入して第１アーム２５１および第２アーム２５２を各々固定部２３４および規制部２４２に結合する。それにより、ドア２４０はトーションバネ２５０によりＪ方向の弾性力を受ける。しかし、ドア２４０が出入り口２３１を完全に塞いだ状態では規制部２４２がフロントパネル２３０の背面２３５に接触するので、ドア２４０がそれ以上回転せずにロックされた状態が維持される。次に突出部２６１を係止部２４３に押し入れて締結部２６３を結合ボス２３６の上面に載せた後、ねじ２７０で締めることによってロックレバー２６０をフロントパネル２３０の背面２３５に組み付ける。このようにすれば、フロントパネル組立体２００の組立てが完了する。
【００３３】
次に、スピンドルモータ２１１とピックアップユニット２１５及びトレー２２０が設置された本体２１０の前方にフロントパネル組立体２００を結合することによってディスクドライブの組立てが完了する。
【００３４】
ここで、図４および図５を参照して図３に示した構成による作用効果を説明する。
【００３５】
トレー２２０がローディングされた状態では図４に示したようにドア２４０が出入り口を塞いでいる。この時、突出部２６１が係止部２４３に結合されているのでドア２４０は開かない。
【００３６】
トレー２２０がＦ方向に摺動しながらアンローディングされ始めれば、トレー２２０の側面がロックレバー２６０の干渉部２６２に接触する。引続き、アンローディングが進行されれば、弾性部２６４がＨ方向に弾性変形されながら突出部２６１が係止部２４３から離脱する。次に、トレー２２０の前面２２２がドア２４０の背面２４５を押して回転させながら摺動しつづけてアンローディングが完了する。
【００３７】
また、ディスク２８０を搭載してトレー２２０がＧ方向に摺動しながらローディングされ始めれば、トーションバネ２５０の弾性力によりトレー２２０の前面２２２とドア２４０の背面２４５との接触が終わる瞬間、規制部２４２がフロントパネル２３０の背面２３５に接触しながらドア２４０が完全にロックされる。ローディングが進行されつづけて干渉部２６２とトレー２２０との干渉が終われば、弾性部２６４が再び復元されながら突出部２６１が係止部２４３に結合されてドア２４０がロックされる。
【００３８】
このように、トレー２２０がローディングされた状態ではドア２４０がロックされているので、高速回転するディスク２８０が破裂される場合に破片がドア２４０を押して飛び出すことを防止でき、より安全なディスクドライブの具現が可能である。
【００３９】
本発明は前記の説明および図面の例示により限定されるものではなく、特許請求の範囲内でさらに多くの変形及び変容例が可能である。
【図面の簡単な説明】
【図１】従来のフロントパネル組立体が採用されたディスクドライブを示す分解斜視図である。
【図２】図１のＡ−Ａ’断面図である。
【図３】本発明によるフロントパネル組立体を採用したディスクドライブの一実施例を示す分解斜視図である。
【図４】図３のフロントパネル組立体の背面斜視図である。
【図５】トレーがアンローディングされる動作を示す図３のフロントパネル組立体の背面斜視図である。
【符号の説明】
２００　フロントパネル組立体
２１０　本体
２１１　スピンドルモータ
２１２　ターンテーブル
２１５　ピックアップユニット
２２１　載置面
２２２　前面
２３１　出入り口
２３２　第１支持部
２３３　第２支持部
２３４　固定部
２３５　背面
２３６　結合ボス
２４０　ドア
２４１　ヒンジ部
２４２　規制部
２４３　係止部
２４４　カーバ
２５０　トーションバネ
２５１　第１アーム
２５２　第２アーム
２５３　コイル部
２６０　ロックレバー
２６１　突出部
２７０　ねじ
２８０　ディスク
【図１】
2004039217.tif 000003
【図２】
2004039217.tif 000004
【図３】
2004039217.tif 000005
【図４】
2004039217.tif 000006
【図５】
2004039217.tif 000007